(57)【要約】【課題】従来歪んでいた周波数特性を平坦化し、欠落していた音声信号の周波数成分を復元し、補正する。【解決手段】本発明のインターホンシステムは、玄関子機１と居室親機２とを接続し、居室親機２から玄関子機１を選択し通話路を形成してマイク１２、２８から入力された音声信号の送受信が可能なインターホンシステムであって、通話路の予め測定した送話伝送系乃至受話伝送系の周波数特性を基に作成した逆フィルタ係数を記憶するメモリ２３ｃ、音声信号のアナログ信号をデジタル信号に変換するコーデック２３ａ、逆フィルタ係数をデジタル変換された音声信号に畳み込み演算して送話伝送系乃至受話伝送系の周波数特性を平坦化するデジタルシグナルプロセッサ２３ｂを有する音声補正デジタル信号処理部２３と、畳み込み演算された信号をコーデックによりアナログ信号に変換されて出力するスピーカ１１、２７とを備える。【選択図】図２
2005260551.tif 000002
【特許請求の範囲】
【請求項１】
玄関子機（１）と居室親機（２）及び／又は集合玄関機（３）と前記居室親機をそれぞれ接続し、前記居室親機から前記玄関子機若しくは前記集合玄関機を選択し通話路を形成してマイク（１２、２８、３４）から入力された音声信号の送受信が可能なインターホンシステムであって、
前記通話路の予め測定した送話伝送系乃至受話伝送系の周波数特性を基に作成した逆フィルタ係数を記憶するメモリ（２３ｃ、３７ｃ）、前記音声信号のアナログ信号をデジタル信号に変換するコーデック（２３ａ、３７ａ）、前記逆フィルタ係数をデジタル変換された前記音声信号に畳み込み演算して前記送話伝送系乃至受話伝送系の周波数特性を平坦化するデジタルシグナルプロセッサ（２３ｂ、３７ｂ）を有する音声補正デジタル信号処理部（２３、３７）と、畳み込み演算された信号を前記コーデックによりアナログ信号に変換されて出力するスピーカ（１１、２７、３３）とを備えることを特徴とするインターホンシステム。
【請求項２】
複数の機種のそれぞれに適応し予め測定した伝送系の周波数特性を基に作成した逆フィルタ係数を前記メモリに記憶しておき、前記居室親機に接続されている前記玄関子機または前記集合玄関機からの識別制御信号により種類を識別する接続機種検出回路（２９）を備え、
前記接続機種検出回路で検出した特定の機種に適応した特定の逆フィルタ係数を選択することを特徴とする請求項１記載のインターホンシステム。
【請求項３】
前記居室親機に接続されている前記玄関子機または前記集合玄関機から出力される呼出音または別の周波数特性測定用信号又は前記居室親機から出力される周波数特性測定用信号により測定された周波数特性を基に作成された逆フィルタ係数によって前記メモリに記憶された逆フィルタ係数を更新することを特徴とする請求項１または請求項２記載のインターホンシステム。
【請求項４】
所望の周波数特性を予め前記メモリにフィルタ係数として記憶しておき、前記メモリから読み出したフィルタ係数を前記平坦化された周波数特性に畳み込み演算することを特徴とする請求項１乃至請求項３何れか１項記載のインターホンシステム。
【請求項５】
前記居室親機には前記玄関子機との送話伝送系乃至受話伝送系に対する音声補正デジタル信号処理部を設け、
前記集合玄関機には各居室親機との送話伝送系乃至受話伝送系に対する音声補正デジタル信号処理部を設けたことを特徴とする請求項１乃至請求項４何れか１項記載のインターホンシステム。
【発明の詳細な説明】
【技術分野】
【０００１】
本発明は、インターホンシステムに係わり、特に音声補正デジタル信号処理部を搭載したインターホンシステムに関する。
【背景技術】
【０００２】
従来から、この種のインターホンシステムとして、共同玄関に設置された集合玄関機と、各住戸内に設置され通話線により集合玄関機に接続された居室親機と、玄関に設置され別の通話線により居室親機に接続された玄関子機とを備えたものが知られている（例えば、特許文献１参照）、
ここで、この居室親機は、スピーカから音出力された受話信号の回り込みに起因して、マイクから音入力されて得られた送話信号に含まれる受話信号成分を抑圧して、同時通話を可能とする同時通話手段を備えており、この同時通話手段を、集合玄関機との間の受話信号および送話信号と、玄関子機との間の受話信号および送話信号との両方に対して作用させるように構成されている。
【０００３】
このような構成のインターホンシステムによれば、居室親機は、集合玄関機、玄関子機とのいずれに対しても、ハウリングの発生を防ぎ、しかも双方向同時通話によるハンズフリー通話を行うことができる。
【０００４】
しかしながら、従来のインターホンシステムにおいては、当該システムにおいて使用される筐体の形状、使用されるスピーカやマイクの特性、システムの設置環境等の影響により、音声信号の周波数成分が欠落し、周波数特性が歪んでしまうため、送話伝送系乃至受話伝送系に入力された原信号により近い音声を提供することができないという難点があった。
【０００５】
【特許文献１】特開２０００−２４４６９９号公報  （段落番号「０１００」、図１）
【発明の開示】
【発明が解決しようとする課題】
【０００６】
本発明は、このような難点を解決するためになされたもので、従来歪んでいた周波数特性を平坦化し、欠落していた音声信号の周波数成分を復元し、補正することができるインターホンシステムを提供することを目的としている。
【課題を解決するための手段】
【０００７】
本発明の第１の態様であるインターホンシステムは、玄関子機と居室親機及び／又は集合玄関機と居室親機をそれぞれ接続し、居室親機から玄関子機若しくは集合玄関機を選択し通話路を形成してマイクから入力された音声信号の送受信が可能なインターホンシステムであって、通話路の予め測定した送話伝送系乃至受話伝送系の周波数特性を基に作成した逆フィルタ係数を記憶するメモリ、音声信号のアナログ信号をデジタル信号に変換するコーデック、逆フィルタ係数をデジタル変換された音声信号に畳み込み演算して送話伝送系乃至受話伝送系の周波数特性を平坦化するデジタルシグナルプロセッサを有する音声補正デジタル信号処理部と、畳み込み演算された信号をコーデックによりアナログ信号に変換されて出力するスピーカとを備えるものである。
【０００８】
本発明の第２の態様は、本発明の第１の態様であるインターホンシステムにおいて、複数の機種のそれぞれに適応し予め測定した伝送系の周波数特性を基に作成した逆フィルタ係数をメモリに記憶しておき、居室親機に接続されている玄関子機または集合玄関機からの識別制御信号により種類を識別する接続機種検出回路を備え、接続機種検出回路で検出した特定の機種に適応した特定の逆フィルタ係数を選択するものである。
【０００９】
本発明の第３の態様は、本発明の第１の態様または第２の態様であるインターホンシステムにおいて、居室親機に接続されている玄関子機または集合玄関機から出力される呼出音または別の周波数特性測定用信号又は居室親機から出力される周波数特性測定用信号により測定された周波数特性を基に作成された逆フィルタ係数によってメモリに記憶された逆フィルタ係数を更新するものである。
【００１０】
本発明の第４の態様は、本発明の第１の態様乃至第３の態様の何れかであるインターホンシステムにおいて、所望の周波数特性を予めメモリにフィルタ係数として記憶しておき、メモリから読み出したフィルタ係数を平坦化された周波数特性に畳み込み演算するものである。
【００１１】
本発明の第５の態様は、本発明の第１の態様乃至第４の態様の何れかであるインターホンシステムにおいて、居室親機には玄関子機との送話伝送系乃至受話伝送系に対する音声補正デジタル信号処理部を設け、集合玄関機には各居室親機との送話伝送系乃至受話伝送系に対する音声補正デジタル信号処理部を設けたものである。
【発明の効果】
【００１２】
本発明の第１の態様乃至第５の態様のインターホンシステムによれば、送話伝送系乃至受話伝送系の周波数特性を平坦化するデジタルシグナルプロセッサを有する音声補正デジタル信号処理部を備えていることから、第１に、インターホンの周波数特性が平坦化され、これまで筐体等の影響で欠落していた音声の周波数成分を復元し、補正することができ、第２に、送話伝送系乃至受話伝送系に入力された原信号により近い音声を提供することができ、第３に、インターホンには種々の筐体、スピーカおよびマイクが存在するが、これらの周波数特性に与える影響を音声補正デジタル信号処理部により吸収することで標準音質を提供することができ、第４に、一度周波数特性を平坦化することでインターホンの周波数特性に理想特性を与えることができる。
【発明を実施するための最良の形態】
【００１３】
以下、本発明のインターホンシステムを適用した好ましい実施の形態例について図面を参照して説明する。
［実施例１］
図１は、本発明のインターホンシステムを戸建住宅に適用した場合のインターホンシステムのシステム構成図、図２は、同実施例におけるインターホンシステムのブロック図を示している。
【００１４】
図１において、本発明のインターホンシステムは、戸外に設置される玄関子機１と、室内に設置される居室親機２とを備えており、玄関子機１は伝送路Ｌ０を介して居室親機２に接続されている。
【００１５】
玄関子機１は、図２に示すように、居室親機２と通話を行うスピーカ（以下「子機スピーカ」という。）１１およびマイク（以下「子機マイク」という。）１２、来客を居室親機２に知らせる呼出ボタン（以下「子機呼出ボタン」という。）１３、居室親機２と信号の送受を行う子機インターフェイス（以下「子機Ｉ/Ｆ」という。）１４の各部（回路）を備えている。ここで、子機Ｉ/Ｆ１４は、子機スピーカ１１、子機マイク１２および子機呼出ボタン１３に接続されている。
【００１６】
居室親機２は、玄関子機１と信号の送受を行う親機インターフェイス（以下「親機Ｉ/Ｆ」という。）２１、通話回路（以下「親機通話回路」という。）２２、音声補正デジタル信号処理部（以下「親機音声補正デジタル信号処理部」という。）２３、操作ボタン２４、ＣＰＵ２５、玄関子機１の呼出を検出する呼出検出回路２６、スピーカ（以下「親機スピーカ」という。）２７、マイク（以下「親機マイク」という。）２８および親機Ｉ/Ｆ２１に接続された機器の機種を検出する接続機種検出回路２９の各部（回路）を備えている。また、親機音声補正デジタル信号処理部２３は、音声信号のアナログ信号をデジタル信号に変換し、デジタル信号を音声信号に変換するコーデック（以下「親機コーデック」という。）２３ａ、逆フィルタ係数をデジタル変換された音声信号に畳み込み演算して送話伝送系乃至受話伝送系の周波数特性を平坦化するデジタルシグナルプロセッサ（以下「親機ＤＳＰ」という。）２３ｂおよび通話路の予め測定した送話伝送系乃至受話伝送系の周波数特性を基に作成した逆フィルタ係数を記憶するメモリ（以下「親機メモリ」という。）２３ｃを備えており、さらに親機メモリ２３ｃは、前述の逆フィルタ係数や信号処理プログラム等を記憶するＲＯＭ等から成る第１のメモリ（以下「第１の親機メモリ」という。）２３１と、第１の親機メモリ２３１のプログラムを展開して実行するＲＡＭ等から成る第２のメモリ（以下「第２の親機メモリ」という。）２３２を備えている。ここで、ＣＰＵ２５は、親機通話回路２２、親機音声補正デジタル信号処理部２３、操作ボタン２４、呼出検出回路２６および接続機種検出回路２９に接続され、親機通話回路２２には親機スピーカ２７および親機マイク２８が接続されている。また、親機Ｉ/Ｆ２１は、伝送路Ｌ０を介して親機Ｉ/Ｆ２１、親機通話回路２２、呼出検出回路２６および接続機種検出回路２９に接続されている。さらに、親機音声補正デジタル信号処理部２３の親機コーデック２３ａは、親機通話回路２２および親機ＤＳＰ２３ｂに接続され、親機ＤＳＰ２３ｂには第１、第２の親機メモリ２３１、２３２が接続されている。
【００１７】
この畳み込み演算の手法について説明すると、図５に示すように伝送系にインパルスｈｎを入力したとき時系列レスポンスｈｎが得られたとする。このレスポンスｈｎをフーリエ変換して得られる周波数特性Ｈ(ω)からその逆周波数特性Ｈ'(ω)を導く（ここで逆周波数特性Ｈ'(ω)＝Ｈ−１(ω)であり、Ｈ(ω)・Ｈ−１(ω)＝１）。逆周波数特性Ｈ'(ω)から逆フーリエ変換して逆フィルタ係数ｇｎを求める。伝送系への入力音声信号Ｘｎは逆フィルタ係数ｇｎでデジタル処理により畳み込み演算される（（株）培風館１９９９年７月６日初版発行、東山三樹夫他著、「信号解析とディジタル処理」、ｐｐ７７〜８０）。このようにして伝送系の周波数特性を平坦化する。
【００１８】
次に、このように構成された本発明のインターホンシステムの動作について説明する。
【００１９】
先ず、親機メモリ２３ｃには、後述する玄関子機１、居室親機２間の通話路（以下「子機・親機間通話路」という。）について、予め測定した送話伝送系乃至受話伝送系の周波数特性を基に作成した逆フィルタ係数ｇｎ、ｇ１ｎがそれぞれ記憶されている。
【００２０】
このような状態で、来訪者が子機呼出ボタン１３を押下すると、呼出信号（以下「子機呼出信号」という。）が子機Ｉ/Ｆ１４、伝送路Ｌ０および親機Ｉ/Ｆ２１を介して呼出検出回路２６へ伝送される。かかる子機呼出信号が呼出検出回路２６で検出されると、ＣＰＵ２５の制御により親機通話回路２２が制御されると共に親機スピーカ２７から呼出音が放音される。
【００２１】
ここで、親機スピーカ２７から放音される呼出音により、来訪者からの呼出しを確認した室内の居住者が送受話器（不図示）を取り上げると、フックスイッチ（不図示）が切り替えられ、電源供給回路（不図示）から伝送路Ｌ０を介して玄関子機１の子機スピーカ１１および子機マイク１２に電源が供給される。これにより、玄関子機１の通話機能（子機スピーカ１１および子機マイク１２）と居室親機２の通話機能（親機スピーカ２７および親機マイク２８）との間に子機Ｉ/Ｆ１４、伝送路Ｌ０、親機Ｉ/Ｆ２１および親機通話回路２２に至る経路を介して子機・親機間通話路が形成される。
【００２２】
このようにして、子機・親機間通話路が形成されると、接続機種検出回路２９で居室親機２に接続されている玄関子機１の機種が判定され、ＣＰＵ２５から識別制御信号が親機音声補正デジタル信号処理部２３へ伝送される。これにより、第１の親機メモリ２３１から玄関子機１の機種に適応した特定の逆フィルタ係数ｇｎが選択される。
【００２３】
このような状態おいて、来訪者が子機マイク１２から音声を入力すると、音声信号（以下「子機音声信号」という。）が前述の子機・親機間通話路を経由して親機音声補正デジタル信号処理部２３に入力される。かかる子機音声信号は、親機コーデック２３ａでアナログ信号からデジタル信号に変換され、デジタル変換された子機音声信号は親機ＤＳＰ２３ｂを介して第２の親機メモリ２３２に一時保存される。ここで、親機ＤＳＰ２３ｂにおいて、第１の親機メモリ２３１に記憶された玄関子機１の機種に適応した特定の逆フィルタ係数ｇｎが、下式に示すように、デジタル変換された子機音声信号に畳み込み演算される。
【００２４】
【数１】
2005260551.tif 000003
【００２５】
但し、ｙｐ：たたみ込み演算結果（出力音声）、Ｘｎ：入力音声、ｇｎ：逆フィルタ係数（ｎ：０、１、２、３、・・・）、ｐ：現在の時刻、Ｎ：ｇのフィルタ長を示している。
【００２６】
これにより、玄関子機１から子機・親機間通話路（受話伝送系）を介して居室親機へ伝送される子機音声信号の周波数特性が平坦化される。
【００２７】
このようにして、玄関子機１から居室親機２に対して伝送される子機音声信号は、第１の親機メモリ２３１に記憶された逆フィルタ係数ｇｎと親機ＤＳＰ２３ｂによって畳み込み演算されることで補正され、音声補正された信号は、親機コーデック２３ａによりデジタル信号からアナログ信号に変換され親機通話回路２２を経由して親機スピーカ２７より出力される。
【００２８】
一方、親機マイク２８から入力される居住者の音声信号（以下「親機音声信号」という。）は、親機通話回路２２を経由して親機音声補正デジタル信号処理部２３へ入力される。入力された親機音声信号は、前述と同様に、親機コーデック２３ａでアナログ信号からデジタル信号に変換され、デジタル変換された親機音声信号は親機ＤＳＰ２３ｂを介して第２の親機メモリ２３２に一時保存される。ここで、親機ＤＳＰ２３ｂにおいて、前述と同様に、第１の親機メモリ２３１に記憶された逆フィルタ係数ｇ１ｎがデジタル変換された親機音声信号に畳み込み演算される。これにより、居室親機２から子機・親機間通話路（送話伝送系）を介して玄関子機１へ伝送される親機音声信号の周波数特性が平坦化される。
【００２９】
このようにして、居室親機２から玄関子機１に対して伝送される親機音声信号は、第１の親機メモリ２３１に記憶された逆フィルタ係数ｇ１ｎと親機ＤＳＰ２３ｂによって畳み込み演算されることで補正され、音声補正された信号は、親機コーデック２３ａによりデジタル信号からアナログ信号に変換され前述の子機・親機間通話路を経由して子機スピーカ１１より出力される。
［実施例２］
図３は、本発明のインターホンシステムを集合住宅に適用した場合のインターホンシステムのシステム構成図、図４は、同実施例におけるインターホンシステムのブロック図を示している。
【００３０】
図３において、この実施例におけるインターホンシステムは、集合住宅の各住戸の玄関にそれぞれ設置される第１、第２、第３の玄関子機１ａ、１ｂ、１ｃと、集合住宅の各住戸の居室にそれぞれ設置される第１、第２、第３の居室親機２ａ、２ｂ、２ｃと、集合住宅の集合玄関に設置される集合玄関機３を備えている。ここで、集合玄関機３は、第１の親機伝送路Ｌ２ａを介して第１の居室親機２ａに、第２の親機伝送路Ｌ２ｂを介して第２の居室親機２ｂに、第３の親機伝送路Ｌ２ｃを介して第３の居室親機２ｃにそれぞれ接続され、また、第１の居室親機２ａは第１の子機伝送路Ｌ１ａを介して第１の玄関子機１ａに、第２の居室親機２ｂは第２の子機伝送路Ｌ１ｂを介して第２の玄関子機１ｂに、第３の居室親機２ｃは第３の子機伝送路Ｌ１ｃを介して第３の玄関子機１ｃにそれぞれ接続されている。
【００３１】
次に、集合玄関機３は、第１、第２、第３の居室親機２ａ、２ｂ、２ｃと信号の送受を行う集合玄関機インターフェイス（以下「集合玄関機Ｉ/Ｆ」という。）３１、通話回路（以下「集合玄関機通話回路」という。）３２、スピーカ（以下「集合玄関機スピーカ」という。）３３、マイク（以下「集合玄関機マイク」という。）３４、呼出ボタン（以下「集合玄関機呼出ボタン」という。）３５、テンキー３６および音声補正デジタル信号処理部（以下「集合玄関機音声補正デジタル信号処理部」という。）３７の各部（回路）を備えている。また、集合玄関機音声補正デジタル信号処理部３７は、音声信号のアナログ信号をデジタル信号に変換するコーデック（以下「集合玄関機コーデック」という。）３７ａ、逆フィルタ係数をデジタル変換された音声信号に畳み込み演算して伝送系の周波数特性を平坦化するデジタルシグナルプロセッサ（以下「集合玄関機ＤＳＰ」という。）３７ｂ、通話路の予め測定した送話伝送系乃至受話伝送系の周波数特性を基に作成した逆フィルタ係数を記憶するメモリ（以下「集合玄関機メモリ」という。）３７ｃを備え、さらに、集合玄関機メモリ３７ｃは、前述の逆フィルタ係数や信号処理プログラム等を記憶するＲＯＭ等から成る第１のメモリ（以下「第１の集合玄関機メモリ」という。）３７１と第１の集合玄関機メモリ３７１のプログラムを展開して実行するＲＡＭ等から成る第２のメモリ（以下「第２の集合玄関機メモリ」という。）３７２を備えている。ここで、集合玄関機Ｉ/Ｆ３１は、集合玄関機通話回路３２、集合玄関機呼出ボタン３５およびテンキー３６に接続され、集合玄関機通話回路３２には集合玄関機スピーカ３３および集合玄関機マイク３４が接続されている。また、集合玄関機音声補正デジタル信号処理部３７の集合玄関機コーデック３７ａは、集合玄関機通話回路３２および集合玄関機ＤＳＰ３７ｂに接続され、集合玄関機ＤＳＰ３７ｂには第１、第２の集合玄関機メモリ３７１，３７２が接続されている。さらに、集合玄関機Ｉ/Ｆ３１は、第１の親機伝送路Ｌ２ａを介して第１の居室親機２ａに、第２の親機伝送路Ｌ２ｂを介して第２の居室親機２ｂに、第３の親機伝送路Ｌ２ｃを介して第３の居室親機２ｃにそれぞれ接続されている。
【００３２】
なお、第１、第２、第３の玄関子機１ａ、１ｂ、１ｃ、並びに第１、第２、第３の居室親機２ａ、２ｂ、２ｃは、図２に示す玄関子機１および居室親機２と同様であることから、共通の符号を付して詳細な説明を省略する。
【００３３】
次に、このように構成された実施例２におけるインターホンシステムの動作について説明する。
【００３４】
先ず、集合玄関機メモリ３７ｃには、後述する集合玄関機３、第１、第２、第３の居室親機２ａ、２ｂ、２ｃ間の通話路（以下「第１、第２、第３の集合玄関機・親機間通話路」という。）について、予め測定した送話伝送系乃至受話伝送系の周波数特性を基に作成した逆フィルタ係数ｇ３ｎが記憶され、第１の居室親機２ａの親機メモリ２３ｃには、第１の居室親機２ａ、集合玄関機３間の通話路（以下「第１の集合玄関機・親機間通話路」という。）について、第２の居室親機２ｂの親機メモリ２３ｃには、第２の居室親機２ｂ、集合玄関機３間の通話路（以下「第２の集合玄関機・親機間通話路」という。）について、第３の居室親機２ｃの親機メモリ２３ｃには、第３の居室親機２ｃ、集合玄関機３間の通話路（以下「第３の集合玄関機・親機間通話路」という。）について、それぞれ予め測定した送話伝送系乃至受話伝送系の周波数特性を基に作成した逆フィルタ係数ｇ２ｎ）が記憶されている。
【００３５】
このような状態で、来訪者が、例えば、第１の居室親機２ａに係る住戸内の居住者（以下「第１の居住者」という。）を呼出すために、集合玄関機３のテンキー３６で第１の居室親機２ａの部屋番号を選択し、集合玄関機呼出ボタン３５を押下すると、呼出信号（以下「集合玄関機呼出信号」という。）が集合玄関機Ｉ/Ｆ３１、第１の親機伝送路Ｌ２ａおよび第１の居室親機２ａの親機Ｉ/Ｆ（以下「第１の親機Ｉ/Ｆ」という。）２１を介して第１の居室親機２ａの呼出検出回路（以下「第１の呼出検出回路」という。）２６へ伝送される。かかる集合玄関機呼出信号が第１の呼出検出回路２６で検出されると、第１の居室親機２ａのＣＰＵ（以下「第１のＣＰＵ」という。）２５の制御により第１の居室親機２ａの親機通話回路（以下「第１の親機通話回路」という。）２２が制御されると共に第１の居室親機２ａの親機スピーカ（以下「第１の親機スピーカ」という。）２７から呼出音が放音される。
【００３６】
ここで、第１の居住者が、第１の親機スピーカ２７から放音される呼出音に基づいて、第１の居室親機２ａの通話ボタン（不図示）を操作すると、集合玄関機３の通話機能（集合玄関機スピーカ３３および集合玄関機マイク３４）と第１の居室親機２ａの通話機能（第１の親機スピーカ２７および第１の居室親機２ａの親機マイク（以下「第１の親機マイク」という。）２８）との間に集合玄関機Ｉ/Ｆ３１、第１の親機伝送路Ｌ２ａ、第１の親機Ｉ/Ｆ２１および第１の親機通話回路２２に至る経路を介して第１の集合玄関機・親機間通話路が形成される。
【００３７】
このようにして、第１の集合玄関機・親機間通話路が形成されると、接続機種検出回路２９で第１の居室親機２ａに接続されている集合玄関機３の機種が判定され、第１のＣＰＵ２５から識別制御信号が第１の居室親機２ａの親機音声補正デジタル信号処理部（以下「第１の親機音声補正デジタル信号処理部」という。）２３へ伝送される。これにより、第１の居室親機２ａの第１のメモリ２３１から集合玄関機３の機種に適応した特定の逆フィルタ係数ｇ２ｎが選択される。
【００３８】
このような状態おいて、来訪者が集合玄関機マイク３４から音声を入力すると、音声信号（以下「集合玄関機音声信号」という。）が前述の第１の集合玄関機・親機間通話路を経由して第１の親機音声補正デジタル信号処理部２３に入力される。かかる集合玄関機音声信号は、第１の親機音声補正デジタル信号処理部２３の親機コーデック（以下「第１の親機コーデック」という。）２３ａでアナログ信号からデジタル信号に変換され、デジタル変換された集合玄関機音声信号は第１の親機音声補正デジタル信号処理部２３の親機ＤＳＰ（以下「第１の親機ＤＳＰ」という。）２３ｂを介して第１の親機音声補正デジタル信号処理部２３の第２の親機メモリ２３２に一時保存される。ここで、第１の親機音声補正デジタル信号処理部２３の親機ＤＳＰ２３ｂにおいて、第１の親機メモリ２３１に記憶された集合玄関機３の機種に適応した特定の逆フィルタ係数ｇ２ｎが、前述のようにデジタル変換された集合玄関機音声信号に畳み込み演算される。これにより、集合玄関機３から第１の集合玄関機・親機間通話（受話伝送系）を介して第１の居室親機２ａへ伝送される集合玄関機音声信号の周波数特性が平坦化される。
【００３９】
このようにして、集合玄関機３から第１の居室親機２ａに対して伝送される集合玄関機音声信号は、第１の居室親機２ａの第１の親機メモリ２３１に記憶された逆フィルタ係数ｇ２ｎと第１の居室親機２ａの親機ＤＳＰ２３ｂによって畳み込み演算されることで補正され、音声補正された信号は、第１の親機コーデック２３ａによりデジタル信号からアナログ信号に変換され第１の親機通話回路２２を経由して第１の親機スピーカ２７より出力される。
【００４０】
一方、第１の親機マイク２８から入力される第１の居住者の音声信号（以下「第１の親機音声信号」という。）は、接続機種検出回路２９により集合玄関機３に集合玄関機音声補正デジタル信号処理部３７が存在することが把握されているため、第１の親機音声補正デジタル信号処理部２３を通ることなく前述の第１の集合玄関機・親機間通話を経由して集合玄関機音声補正デジタル信号処理部３７へ入力される。入力された第１の親機音声信号は、前述の１の居室親機２ａにおける処理と同様に、集合玄関機コーデック３７ａでアナログ信号からデジタル信号に変換され、デジタル変換された第１の親機音声信号は集合玄関機ＤＳＰ３７ｂを介して集合玄関機メモリ３７２に一時保存される。ここで、集合玄関機ＤＳＰ３７ｂにおいて、前述と同様に、第１の集合玄関機メモリ３７１に記憶された逆フィルタ係数ｇ３ｎが、前述のようにデジタル変換された第１の親機音声信号に畳み込み演算される。これにより、第１の居室親機２ａから第１の集合玄関機・親機間通話（送話伝送系）を介して集合玄関機３へ伝送される第１の親機音声信号の周波数特性が平坦化される。
【００４１】
このようにして、第１の居室親機２ａから集合玄関機３に対して伝送される第１の親機音声信号は、第１の集合玄関機メモリ３７１に記憶された逆フィルタ係数ｇ３ｎと集合玄関機ＤＳＰ３７ｂによって畳み込み演算されることで補正され、音声補正された信号は、集合玄関機コーデック３７ａによりデジタル信号からアナログ信号に変換され集合玄関機通話回路３２を経由して集合玄関機ピーカ３３より出力される。
【産業上の利用可能性】
【００４２】
本発明のインターホンシステムは、前述の実施例に限定されず、例えば、次のようにしても、本発明のインターホンシステムと同様の効果を奏する。
【００４３】
第１に、複数の機種のそれぞれに適応し予め測定した伝送系の周波数特性を基に作成した逆フィルタ係数をメモリ２３ｃ、３７ｃに記憶しておき、玄関子機１、１ａ、１ｂ、１ｃや集合玄関機３からの識別制御信号により接続機種検出回路２９で検出した特定の機種に適応した特定の逆フィルタ係数を選択するようにしてもよい。
【００４４】
第２に、玄関子機１、１ａ、１ｂ、１ｃや集合玄関機３から出力される呼出音、または別の周波数特性測定用信号、若しくは居室親機２、２ａ、２ｂ、２ｃの操作ボタン２４等の押下操作により出力される周波数特性測定用信号により測定された周波数特性を基に作成された逆フィルタ係数によってメモリ２３ｃ、３７ｃに記憶された逆フィルタ係数を更新するようにしてもよい。
【００４５】
第３に、所望の周波数特性（例えば当該製品に要求される理想の周波数特性）を予めメモリ２３ｃ、３７ｃにフィルタ係数として記憶しておき、メモリ２３ｃ、３７ｃから読み出したフィルタ係数を所望の周波数特性に畳み込み演算するように構成してもよい。
【００４６】
第４に、玄関子機１、１ａ、１ｂ、１ｃ、居室親機２、２ａ、２ｂ、２ｃおよび集合玄関機３の台数は実施例のものに限定されず、システムの規模によりその台数を増減することができる。
【図面の簡単な説明】
【００４７】
【図１】本発明の第１の実施例におけるインターホンシステムのシステム構成図。
【図２】本発明の第１の実施例におけるインターホンシステムのブロック図。
【図３】本発明の第２の実施例におけるインターホンシステムのシステム構成図。
【図４】本発明の第２の実施例におけるインターホンシステムのブロック図。
【図５】本発明のインターホンシステムに使用される畳み込み演算手法についての説明図。
【符号の説明】
【００４８】
１・・・玄関子機  
１１・・・スピーカ（子機スピーカ）
１２・・・マイク（子機マイク）
２・・・居室親機
２３・・・音声補正デジタル信号処理部
２３ａ・・・コーデック
２３ｂ・・・デジタルシグナルプロセッサ（ＤＳＰ）
２３ｃ・・・メモリ
２７・・・スピーカ（親機スピーカ）
２８・・・マイク（親機マイク）
２９・・・接続機種検出回路
３・・・集合玄関機
３３・・・スピーカ（集合玄関機スピーカ）
３４・・・マイク（集合玄関機マイク）
Ｘｎ・・・音声信号
ｇｎ、ｇ１ｎ、ｇ２ｎ、ｇ３ｎ・・・逆フィルタ係数
【図１】
2005260551.tif 000004
【図２】
2005260551.tif 000005
【図３】
2005260551.tif 000006
【図４】
2005260551.tif 000007
【図５】
2005260551.tif 000008